(57)【要約】【課題】外箱から漏れる磁束量の低減を図ることができる地上設置形変圧器装置を提供する。【解決手段】外箱１に収容された変圧器４の低圧側端子４０２ｕないし４０２ｗに対して低圧ケーブル５ｕないし５ｗを４本ずつ設けて、各４本の低圧ケーブル５ｕないし５ｗ対応する相の低圧側端子４０２ｕないし４０２ｗに接続し、これらの低圧ケーブル５ｕないし５ｗを外箱１の底部１０５から地下溝２ａに引き出す。４本ずつ設けられた低圧ケーブル５ｕないし５ｗをそれぞれ一括して支持するケーブル支持具７ｕないし７ｗを非磁性金属材料を用いて構成する。強磁性材料の帯板により閉ループをなすように構成されて地下溝２ａに引出されるすべての低圧ケーブル５ｕないし５ｗを一括して取り囲む枠部２０を備えた磁路構成部材２２を外箱１の底部１０５に固定する。【選択図】    図２
2010129595.tif 000002
【特許請求の範囲】
【請求項１】
強磁性材料からなる外箱内に変圧器が収納されて、該変圧器の複数の低圧側端子が前記外箱内に設けられたケーブル引出しスペースに横方向に並べた状態で導出され、前記ケーブル引出しスペースを開口させる開口部が前記外箱の側面に設けられて該開口部を閉じる扉が前記外箱に取り付けられ、前記変圧器の各低圧側端子につながる低圧ケーブルが複数設けられて、該複数の低圧ケーブルが、それぞれの長手方向を上下方向に向け、かつ前記扉の板面と直角な方向に並べた状態で前記ケーブル引出しスペースに配置され、各低圧側端子につながる複数の低圧ケーブルは、前記扉の板面に対して直角な方向に伸びるケーブル支持具により一括して支持されて前記外箱の底部から地下溝に引き出される地上設置形変圧器装置において、
強磁性材料の帯板により閉ループをなすように構成された枠部を備えた磁路構成部材が設けられて、該磁路構成部材の枠部が、前記ケーブル引出しスペースから地下溝に引出されるすべての低圧ケーブルを一括して取り囲んだ状態で前記外箱の底部に固定され、
各ケーブル支持具は、非磁性金属材料からなっていて支持すべき複数のケーブルを間にして対向配置される第１及び第２の支持板と、前記第１の支持板と支持すべき複数のケーブルとの間及び前記第２の支持板と支持すべき複数のケーブルとの間にそれぞれ配置される第１及び第２の絶縁支持物とを備えて、前記複数の低圧ケーブルを前記第１及び第２の絶縁支持物を介して前記第１及び第２の支持板の間に挟んだ状態で支持するように構成されていること、
を特徴とする地上設置形変圧器装置。
【請求項２】
前記磁路構成部材は、帯板状の第１の辺と該第１の辺の長手方向の両端から同じ側に該第１の辺と直角な方向に折れ曲がった帯板状の一対の第２の辺とを有するコの字形強磁性部材を更に備え、
前記コの字形強磁性部材は、前記第１の辺を前記外箱の前記開口部が設けられた側壁部の下端の内面に対向させ、前記一対の第２の辺を前記外箱の前記開口部が設けられた側壁部に対して直角な方向に向けた状態で配置され、
前記磁路構成部材の枠部は、矩形状を呈するように構成されていて、該枠部が、前記コの字形強磁性部材の内側で前記すべての低圧ケーブルを一括して囲むように配置され、
前記コの字形強磁性部材の第１の辺が前記枠部の一辺に重合されている請求項１に記載の地上設置形変圧器装置。
【請求項３】
前記磁路構成部材の枠部は、２つのコの字形の部材を矩形状に組み合わせて分離可能な状態で締結した構造を有することを特徴とする請求項１または２に記載の地上設置形変圧器装置。
【発明の詳細な説明】
【技術分野】
【０００１】
本発明は、歩道等に設置される地上設置形変圧器装置に関するものである。
【背景技術】
【０００２】
特許文献１に示されているように、地上設置形変圧器装置は、直方体状に構成された外箱を備えている。外箱は、鋼板等の金属板により構成されていて、該外箱の内部には、変圧器収納スペースと、ケーブル引込みスペースと、ケーブル引出しスペースとが設けられている。ケーブル引込みスペース及びケーブル引出しスペースに臨む外箱の側面にそれぞれのスペースを開口させる開口部が設けられ、各開口部を閉じる扉が外箱に取り付けられている。
【０００３】
外箱内の変圧器収納スペースには、三相または単相の変圧器が収納されている。ケーブル引込みスペースには、地下溝から引き込んだ高圧ケーブルと、高圧ケーブルを変圧器の高圧側端子に接続するための必要機器とが収容される。該必要機器は、高圧ケーブルの端末部を接続するケーブルコネクタや、該コネクタと変圧器の高圧側端子との間に配置される断路器及び高圧カットアウトなどである。
【０００４】
ケーブル引出しスペースには、変圧器の各低圧側端子に対して複数本ずつ設けられた低圧ケーブルと、該低圧ケーブルを変圧器の各低圧側端子に接続し、かつ外箱の底部から地下溝に引き出すために必要な機器とが収容される。ケーブル引出しスペースに配置される必要機器は、例えば、各低圧側端子に接続される複数の低圧ケーブルに対して共通に設けられて各低圧側端子に接続された共通端子板、各低圧ケーブルを接続するために各低圧ケーブル毎に設けられた個別端子板、各個別端子板と共通端子板との間に接続された電力ヒューズ、各低圧側端子に接続される複数の低圧ケーブルを支持するケーブル支持具等である。ケーブル支持具は、変圧器の各低圧側端子に接続された複数の低圧ケーブルを一括して位置決め支持するために設けられるもので、従来の地上設置形変圧器装置で用いられていたケーブル支持具は、鋼板からなる２枚の支持板の間にゴム等の絶縁物を介してケーブルを挟んだ状態で支持するように構成されている。この種の変圧器装置は、通常、歩道の車道寄りの部分に設置される。
【特許文献１】特開２００７−３１７８２６号
【発明の開示】
【発明が解決しようとする課題】
【０００５】
電気設備については、他の電気設備その他の物件の機能に電気的または磁気的な障害を与えないようにしなければならないとの法定の基準があり、地上設置形変圧器装置においても、漏れ磁束を周囲の機器に影響を及ぼすおそれがないレベルまで低減させることが必要とされる。地上設置形変圧器装置の外箱全体を鋼板等の強磁性体により構成する場合には、外箱全体が磁気遮蔽体として機能するため、磁界の漏洩に関する法定の基準を一応満たすことができる。また外箱の防錆処理を省略するために外箱をステンレス鋼により構成する場合には、特許文献１に記載されているように、変圧器の端子とケーブルとを接続する端子部を覆う扉を、フェライト系ステンレス鋼またはクロム鋼等の強磁性材料で形成することにより、漏洩磁界の低減を図ることができる。
【０００６】
上記のように、従来の地上設置形変圧器装置は、磁界の漏洩に関して一応法定の基準を満たしているといえる。ところが、最近、人体に対する電磁波障害が問題にされるようになり、電気設備から漏洩する磁束の量を極力少なくすることが望まれる傾向にあるため、将来は、従来の基準よりも更に低いレベルまで、漏れ磁束量を低減させることが求められることが予測される。特に路上に設置される地上設置形変圧器装置は、公衆が近づいたり触れたりするおそれがあるため、漏れ磁束量についての規制が厳しく設定される可能性がある。
【０００７】
地上設置形変圧器装置においては、変圧器の各低圧側端子に接続された複数の低圧ケーブルを通して大きな電流が流れて該ケーブルの周囲に強い磁界が発生するため、低圧ケーブルの引出し構造によっては、ケーブル引出しスペースを閉じる扉が磁気的に飽和してシールド効果を失い、扉を通して磁束が外部に漏れるおそれがある。また扉とケーブル引出しスペースの開口部周縁との間の隙間を通して磁束が漏れるおそれがある。
【０００８】
特に、変圧器の各低圧側端子に接続される複数の低圧ケーブルが、ケーブル引出しスペースを閉じる扉の板面に対して直角な方向に並べて配置される場合には、該複数の低圧ケーブルを支持するケーブル支持具が扉の板面に対して直角な方向に伸びる形になって、該ケーブル支持具の先端が扉に近い位置に配置されるため、該ケーブル支持具を通して扉側に多くの磁束が流れ、扉を通して磁束が漏れるおそれがある。
【０００９】
ケーブル引出しスペースの開口部を閉じる扉を通して漏れる磁束や、扉とケーブル引出しスペースの開口部周縁との間の隙間を通して漏れる磁束の量を低減するために、ケーブルと扉との間の距離を拡大することが考えられるが、ケーブルと扉との間の距離を拡大すると外箱が大形になるため、好ましくない。
【００１０】
また磁界発生源であるケーブル全体を強磁性体からなるカバーで覆うことも考えられるが、ケーブル全体をカバーで覆う構造にすると、変圧器の低圧側端子に低圧ケーブルを接続する際の作業性が悪くなるのを避けられない。
【００１１】
本発明の目的は、外箱内に変圧器が収容される地上設置形変圧器装置において、外箱を大形にすることなく、また低圧ケーブルを変圧器の低圧側端子に接続する際の作業性を損なうことなく、外部に磁束が漏れるのを抑制する効果を高めて、漏れ磁束量を従来より更に低減させることができるようにすることにある。
【課題を解決するための手段】
【００１２】
本発明は、地上設置形変圧器装置を対象とする。本発明が対象とする地上設置形変圧器装置においては、強磁性材料からなる外箱内に変圧器が収納されて、該変圧器の複数の低圧側端子が外箱内に設けられたケーブル引出しスペースに横方向に並べた状態で導出される。またケーブル引出しスペースを開口させる開口部が外箱の側面に設けられて該開口部を閉じる扉が外箱に取り付けられ、変圧器の各低圧側端子につながる低圧ケーブルが複数設けられて、該複数の低圧ケーブルが、それぞれの長手方向を上下方向に向け、かつ扉の板面と直角な方向に並べた状態でケーブル引出しスペースに配置される。各低圧側端子につながる複数の低圧ケーブルは、扉の板面に対して直角な方向に伸びるケーブル支持具により一括して支持されて外箱の底部から地下溝に引き出される。
【００１３】
本発明に係わる地上設置形変圧器装置においては、強磁性材料の帯板により閉ループをなすように構成された枠部を備えた磁路構成部材が設けられて、該磁路構成部材の枠部が、ケーブル引出しスペースから地下溝に引出されるすべての低圧ケーブルを一括して取り囲んだ状態で前記外箱の底部に固定される。また各ケーブル支持具は、非磁性金属材料からなっていて支持すべき複数のケーブルを間にして対向配置される第１及び第２の支持板と、第１の支持板と支持すべき複数のケーブルとの間及び第２の支持板と支持すべき複数のケーブルとの間にそれぞれ配置される第１及び第２の絶縁支持物とを備えて、複数の低圧ケーブルを第１及び第２の絶縁支持物を介して第１及び第２の支持板の間に挟んだ状態で支持するように構成されている。
【００１４】
なお本明細書において、「非磁性金属材料」とは、強磁性（高透磁性）を有しない金属材料を意味する。非磁性金属材料としては、例えばマルテンサイト系ステンレス鋼やアルミニウム等を用いることができる。
【００１５】
地上設置形変圧器装置においては、ケーブル引出しスペースの開口部を閉じる扉と、該開口部の周縁部との間の隙間の部分で外箱による磁気シールド効果が弱まり、低圧ケーブルが近接している、当該開口部の周縁部の下端と扉との間の隙間部分から磁束が漏れるおそれがある。上記のように、すべての低圧ケーブルを一括して取り囲む磁路構成部材を外箱の底部に配置しておくと、ケーブル引出しスペースを通して引き出される低圧ケーブルから磁界が発生した際に、ケーブル引出しスペースの開口部の下端付近で磁路構成部材に多くの磁束を流して、該磁路構成部材の外側に磁束が漏れるのを抑制することができるため、ケーブル引出しスペースの開口部を閉じる扉と該開口部の周縁部の下端との間の隙間から磁束が外部に漏れるのを抑制することができ、漏れ磁束量を更に低減することができる。
【００１６】
地上設置形変圧器装置においては、その設置面積を極力縮小することが望まれるため、変圧器の各低圧側端子に接続される複数の低圧ケーブルを一括して支持するケーブル支持具は、ケーブル引出しスペースの開口部を閉じる扉に接近して配置されることになる。従って、各ケーブル支持具が鉄等の強磁性材料により構成されていると、低圧ケーブルから強い磁界が発生した際に各ケーブル支持具を通して扉側に多量の磁束が流れて扉が磁気的に飽和し、扉による磁気シールド効果が失われて磁束が外部に漏れるおそれがある。また扉による磁気シールド効果が失われない場合でも、扉とケーブル引出しスペースの開口部周縁との間の隙間を通して外部に磁束が漏れるおそれがある。
【００１７】
これに対し、本発明のように、各ケーブル支持具を非磁性金属材料からなる支持板と、該支持板とケーブルとの間に介在させる絶縁支持物とにより構成すると、各ケーブル支持具を通して扉側に磁束が流れることがないため、扉や、扉とケーブル引出しスペースの開口部周縁との間の隙間を通して外部に磁束が漏れるのを抑制することができる。
【００１８】
本発明の好ましい態様では、磁路構成部材が、帯板状の第１の辺と該第１の辺の長手方向の両端から同じ側に該第１の辺と直角な方向に折れ曲がった帯板状の一対の第２の辺とを有するコの字形強磁性部材を更に備えている。この場合、コの字形強磁性部材は、第１の辺を外箱の開口部が設けられた側壁部の下端の内面に対向させ、一対の第２の辺を外箱の開口部が設けられた側壁部に対して直角な方向に向けた状態で配置される。また磁路構成部材の枠部は、矩形状を呈するように構成されて、該枠部が、コの字形強磁性部材の内側ですべての低圧ケーブルを一括して囲むように配置され、コの字形強磁性部材の第１の辺が枠部の一辺に重合される。
【００１９】
上記のように磁路構成部材にコの字形強磁性部材を設けて、該コの字形強磁性部材の第１の辺を外箱の開口部が設けられた側壁部の下端の内面に対向させ、一対の第２の辺を外箱の開口部が設けられた側壁部に対して直角な方向に向けた状態で配置しておくと、ケーブル引出しスペースの開口部側で、磁路構成部材の枠部とコの字形強磁性部材の第１の辺とにより二重に磁気シールドを図ることができるため、ケーブル引出しスペースの開口部側への磁束の漏れを抑制する効果を高めることができる。
【００２０】
上記磁路構成部材の枠部は、２つのコの字形の部材を矩形状に組み合わせて分離可能な状態で締結した構造を有していることが好ましい。
【００２１】
上記のように磁路構成部材の枠部を２つのコの字形部材により構成しておくと、枠部を分解できるため、枠部の着脱を容易にすることができる。
【発明の効果】
【００２２】
本発明によれば、ケーブル引出しスペースから地下溝に引出されるすべての低圧ケーブルを一括して取り囲む枠部を備えた磁路構成部材を設けて、該磁路構成部材を外箱の底部に固定した場合には、ケーブル引出しスペースを通して引き出される低圧ケーブルから磁界が発生した際に、ケーブル引出しスペースの開口部の下端付近で磁路構成部材に多くの磁束を流して、該磁路構成部材の外側に磁束が漏れるのを抑制することができるため、ケーブル引出しスペースの開口部を閉じる扉と該開口部の周縁部の下端との間の隙間から磁束が外部に漏れるのを抑制することができ、漏れ磁束量を更に低減することができる。
【００２３】
本発明によればまた、ケーブル引出しスペースで変圧器の各低圧側端子につながる複数の低圧ケーブルを一括して支持する各ケーブル支持具を非磁性金属材料からなる支持板と、該支持板とケーブルとの間に介在させる絶縁支持物とにより構成したので、各ケーブル支持具を通して外箱の扉側に磁束が流れるのを防いで、扉や、扉とケーブル引出しスペースの開口部周縁との間の隙間を通して外部に磁束が漏れるのを抑制することができる。
【００２４】
本発明において、帯板状の第１の辺と該第１の辺の長手方向の両端から同じ側に該第１の辺と直角な方向に折れ曲がった帯板状の一対の第２の辺とを有するコの字形強磁性部材を磁路構成部材に付加して、コの字形強磁性部材の第１の辺を外箱の開口部が設けられた側壁部の下端の内面に対向させた場合には、ケーブル引出しスペースの開口部側で、磁路構成部材の枠部とコの字形強磁性部材の第１の辺とにより二重に磁気シールドを図ることができるため、ケーブル引出しスペースの開口部側への磁束の漏れを抑制する効果を高めることができる。
【００２５】
本発明において、磁路構成部材の枠部を２つのコの字形部材により構成した場合には、枠部を分解することができるため、枠部の着脱を容易にすることができる。
【発明を実施するための最良の形態】
【００２６】
以下図面を参照して本発明の好ましい実施形態を詳細に説明する。図１ないし図６は本発明に係わる地上設置形変圧器装置の好ましい実施形態の一例を示したもので、図１（Ａ）は縦断面図、図１（Ｂ）は同図（Ａ）のＹ部の拡大断面図、図２（Ａ）は図１（Ａ）のII−II線断面図、図２（Ｂ）は同図（Ａ）のＺ部付近の拡大断面図である。また図３は図２（Ａ）のIII−III線断面図、図４は本実施形態で用いる磁路構成部材を斜め上から見た斜視図、図５は同磁路構成部材を裏返した状態を示した斜視図、図６（Ａ）は本実施形態で用いる４個のケーブル保持具の拡大側面図、同図（Ｂ）は同図（Ａ）の上面図である。
【００２７】
図１及び図２において、１は、チャンネル材等の形鋼材からなる枠組みと、該枠組みに固定された鋼板とにより直方体状に構成された外箱で、この外箱１は、矩形状の天井部１００と、長手方向に相対する第１及び第２の側壁部１０１及び１０２と、長手方向に対して直角な幅方向に相対する第３及び第４の側壁部１０３及び１０４と底部１０５とを有している。外箱１は、歩道の路面に構築されたコンクリートベース２の上に設置された矩形状の設置ベース３の上に支持されている。コンクリートベース２には、地下の電線共同溝につながる地下溝２ａが、設置ベース３の内側に開口した状態で形成されている。
【００２８】
本実施形態では、外箱１内のほぼ中央のスペースが変圧器収容スペースＳ１となっており、変圧器収容スペースＳ１の両側にケーブル引出しスペースＳ２及びケーブル引込みスペースＳ３が設けられている。外箱１の相対する側面には、ケーブル引出しスペースＳ２及びケーブル引込みスペースＳ３をそれぞれ外部に開口させる開口部が設けられ、これらの開口部を閉じる扉が外箱１に取り付けられている。
【００２９】
図示に例では、外箱１の長手方向の一端側の第１の側壁部１０１に、ケーブル引出しスペースＳ２を開口させる矩形状の開口部１１０が設けられ、この開口部１１０を閉じる観音開きの扉１１１，１１１（図３参照）が第１の側壁部１０１に取り付けられている。扉１１１，１１１の内側には、これらの扉を閉じた状態にロックするロック機構１１２（図１（Ａ）参照）が設けられ、ロック機構１１２を操作するつまみ１１３が何れかの扉１１１の外側に取り付けられている。
【００３０】
また外箱１の長手方向の他端側の第２の側壁部１０２に、ケーブル引込みスペースＳ３を開口させる矩形状の開口部１２０が設けられ、この開口部１２０を閉じる観音開きの扉１２１，１２１が第２の側壁部１０２に取り付けられている。扉１２１，１２１の内側に、これらの扉を閉じた状態にロックするロック機構１２２が設けられ、ロック機構１２２を操作するつまみ１２３が何れかの扉１２１の外側に取り付けられている。
【００３１】
変圧器収容スペースＳ１には、直方体状の変圧器タンク４００内に変圧器本体を絶縁媒体と共に収容した変圧器４が収容されている。ケーブル引出しスペースＳ２に臨む（閉じた状態にある扉１１１に対面する）変圧器タンク４００の側壁４００ａの上部には、４個の低圧ブッシング４０１ｎ及び４０１ｕないし４０１ｗ（図２（Ａ）参照）が、横方向に並べた状態で、かつタンク４００の側壁４００ａを貫通した状態で取り付けられ、これらの低圧ブッシング４０１ｎ及び４０１ｕないし４０１ｗを通して変圧器４の中性点端子４０２ｎ及び三相の低圧側端子（非中性点側端子）４０２ｕないし４０２ｗがケーブル引出しスペースＳ２に導出されている。
【００３２】
またケーブル引込みスペースＳ３に臨む変圧器タンク４００の側壁４００ｂの上部には、三相の高圧ブッシング４０３ｕないし４０３ｗが、横方向に並べた状態で、かつタンクの側壁４００ｂを貫通した状態で取り付けられ、これらの高圧ブッシングを通して、変圧器４の三相の高圧側端子４０４ｕないし４０４ｗ（高圧ブッシング４０３ｖ，４０３ｗ及び高圧側端子４０４ｖ，４０４ｗは隠れて見えない。）が導出されている。なお図１（Ａ）において４０５は、変圧器４の冷却媒体を冷却するために変圧器タンク４００の側面に取り付けられた放熱器である。
【００３３】
外箱１内のケーブル引出しスペースＳ２には、地下溝２ａに引出される接地ケーブル５ｎ及び三相の低圧ケーブル５ｕないし５ｗ（図２（Ａ）参照）をそれぞれ変圧器４の中性点端子４０２ｎ及び低圧側端子４０２ｕないし４０２ｗに接続する低圧ケーブル接続部６と、変圧器４の中性点端子４０２ｎ及び三相の低圧側端子４０２ｕないし４０２ｗにそれぞれ接続された複数の低圧ケーブル５ｕないし５ｗを一括して支持するケーブル支持具７ｎ及び７ｕないし７ｗとが収容されている。
【００３４】
またケーブル引込みスペースＳ３には、地下溝２ａから引込まれた三相の高圧ケーブル８ｕないし８ｗと、これらの高圧ケーブルを変圧器４の三相の高圧側端子４０４ｕないし４０４ｗに接続する高圧ケーブル接続部９とが収容されている。
【００３５】
ケーブル引込みスペースＳ３に収容された高圧ケーブル接続部９は、地下溝２ａから立ち上げられた高圧ケーブル８ｕないし８ｗの端末部を接続するケーブルコネクタ９０１と、コネクタ９０１に一端が接続された断路器９０２と、断路器９０２の他端と変圧器の高圧側端子４０４ｕないし４０４ｗとの間に接続された高圧カットアウト９０３などからなっている。
【００３６】
一般に、変圧器の各低圧側端子には複数本の低圧ケーブルが接続される。本実施形態では、低圧側端子４０２ｕないし４０２ｗにそれぞれ低圧ケーブル５ｕないし５ｗが４本ずつ接続されている。変圧器の中性点端子４０２ｎには接地電流を流すために必要な適宜の本数の接地ケーブルが接続されるが、本実施形態では、中性点端子４０２ｎにも４本の接地ケーブル５ｎが接続されている。４本ずつ設けられたケーブル５ｎ及び５ｕないし５ｗはそれぞれ扉１１１の板面に対して直角な方向に並べて配置されて、扉１１１の板面に対して直角な方向に長く伸びるケーブル支持具７ｎ及び７ｕないし７ｗにより支持されている。
【００３７】
図２（Ａ）に示されているように、低圧ケーブル接続部６は、変圧器４の中性点端子４０２ｎに接続された共通端子板６０１ｎと、三相の低圧側端子４０２ｕないし４０２ｗにそれぞれ接続された共通端子板６０１ｕないし６０１ｗと、４本ずつ設けられた三相の低圧ケーブル５ｕないし５ｗの端末部をそれぞれ接続するために４個ずつ設けられた個別端子板６０２ｕないし６０２ｗと、共通端子板６０１ｕないし６０１ｗと４個ずつ設けられた個別端子板６０２ｕないし６０２ｗとの間にそれぞれ接続された電力ヒューズ６０３ｕないし６０３ｗとからなっている。
【００３８】
図２（Ａ）に見られるように、中性点端子４０２ｎに接続された共通端子板６０１ｎは、複数の接地ケーブル５ｎに対して共通に設けられた一枚板からなっており、この共通端子板６０１ｎの下端に複数の接地ケーブル５ｎの端末部が接続されている。
【００３９】
また図１（Ａ）から分かるように、変圧器４の三相の低圧側端子４０２ｕないし４０２ｗにそれぞれ接続された共通端子板６０１ｕないし６０１ｗは、変圧器４の三相の低圧側端子４０２ｕないし４０２ｗに対して４本ずつ設けられた低圧ケーブル５ｕないし５ｗのそれぞれに対して共通に設けられ、個別端子板６０２ｕないし６０２ｗは、４本ずつ設けられた低圧ケーブル５ｕないし５ｗのそれぞれに対して個別に（各相４個ずつ）設けられている。
【００４０】
電力ヒューズ６０３ｕないし６０３ｗも、低圧側端子４０２ｕないし４０２ｗのそれぞれに対して４本ずつ設けられた低圧ケーブル５ｕないし５ｗに対応させて各相４個ずつ設けられ、各相４個ずつ設けられた個別端子板６０２ｕないし６０２ｗと、共通端子板６０１ｕないし６０１ｗとの間にそれぞれ電力ヒューズ６０３ｕないし６０３ｗが接続されている。
【００４１】
すべての共通端子板６０１ｎ，６０１ｕないし６０１ｗは、それぞれの板面を低圧側端子４０２ｕないし４０２ｗが導出された変圧器タンク４００の側壁４００ａの板面に対して直角な方向（ケーブル引出しスペースＳ２を開口させる開口部１１０の開口方向）に向け、且つそれぞれの板面を垂直方向に向けた状態で配置されている。また４個ずつ設けられた個別端子板６０２ｕ，６０２ｖ及び６０２ｗは、それぞれの板面を共通端子板６０１ｕないし６０１ｗの板面と同一平面上に位置させ、かつ変圧器タンク４００の側壁４００ａの板面に対して直角な方向に並べた状態で配置されている。
【００４２】
そして共通端子板６０１ｎは、変圧器タンク４００の側壁４００ａにボルト止めされた支持金具６１０及び６１１に絶縁支持物６１２及び６１３を介して支持され、共通端子板６０１ｕは支持金具６１０に絶縁支持物６１４を介して支持されている。共通端子６０１ｖ及び６０１ｗは、変圧器タンク４００の側壁４００ａに固定された支持金具６１５に絶縁支持物６１６及び６１７を介して支持されている。また変圧器タンク４００の側壁４００ａと直角な方向に並ぶ４個の個別端子板６０２ｕはそれぞれ個別の絶縁支持物６１８を介して前記支持金具６１１に支持され、同じく変圧器タンク４００の側壁４００ａと直角な方向に並ぶ４個の個別端子板６０２ｖ及び４個の個別端子板６０２ｗは、変圧器タンク４００の側壁４００ａに固定された支持金具６１９にそれぞれ個別の絶縁支持物６２０及び６２１を介して支持されている。
【００４３】
外箱１の底部１０５には、ケーブル引出しスペースＳ２内及び地下溝２ａ内に開口した矩形状の窓部１３０が設けられている。図２（Ａ）及び図３に示されているように、外箱１の長手方向（変圧器タンク４００の側壁４００ａと直角な方向）に相対する窓部１３０の２辺の間を互いに平行に延びる３個のゴム板支持部材１１が設けられている。各ゴム板支持部材１１は図２（Ｂ）に示すように、ケーブル引出しスペースＳ２を開口させる開口部１１０の開口方向（図示の例では外箱１の長手方向）に伸びる角柱状の本体部１１ａと、該本体部１１ａの下端寄りの部分の幅方向の両端から水平方向に突出した翼部１１ｂ，１１ｂと、本体部１１ａの長手方向の両端の下部から外箱１の長手方向に突出した突出部１１ｃ，１１ｃとを有し、突出部１１ｃ，１１ｃが外箱１の底部１０５の下面に当接されて該底部１０５にボルト止めされることにより、各ゴム板支持部材１１が外箱１の底部１０５に固定されている。
【００４４】
３本のゴム板支持部材１１により、窓部１３０内が、外箱１の幅方向（変圧器４の中性点端子４０２ｎ及び低圧側端子４０２ｕないし４０２ｗの並設方向）に並ぶ矩形状の４つの領域に区画されている。各ゴム板支持部材１１の翼部１１ｂ，１１ｂは、窓部１３０内に配置されて、それぞれの上面が外箱１の底部１０５の上面と同一面上に位置するように設けられ、３本のゴム板支持部材１１の翼部１１ｂの上面と、外箱１の幅方向に相対する窓部１３０の２辺に沿う底部１０５の上面とにより、外箱１の幅方向に並ぶ４枚のゴム板１２ｎ，１２ｕ，１２ｖ及び１２ｗ（図２（Ｂ）参照）が支持されている。各ゴム板１２ｎ，１２ｕないし１２ｗは、チャンネル形に形成されていて、その内側の溝を地下溝２ａ側に開口させた状態で配置されている。
【００４５】
各ゴム板１２ｎ，１２ｕないし１２ｗには、外箱１の長手方向に並ぶ４つのケーブル挿通孔ｈが形成され、これらのケーブル挿通孔ｈを通して４本ずつ設けられた接地ケーブル５ｎまたは低圧ケーブル５ｕないし５ｗが地下溝２ａに引き出される。
【００４６】
変圧器４の中性点端子４０２ｎ及び低圧側端子４０２ｕないし４０２ｗに対して４本ずつ設けられた接地ケーブル５ｎ及び低圧ケーブル５ｕないし５ｗは、扉１１１の板面に対して直角な方向（ケーブル引出しスペースＳ２を開口させる開口部１１０の開口方向）に並べて配置されて、扉１１１の板面に対して直角な方向に伸びるケーブル支持具７ｎ及び７ｕないし７ｗにより一括して支持されている。
【００４７】
各ケーブル支持具７ｎ，７ｕないし７ｗは、図６（Ａ）（Ｂ）に示されているように、非磁性金属材料からなっていて支持すべき複数のケーブルを間にして対向配置される帯板状の第１及び第２の支持板７０１及び７０２と、第１の支持板７０１と支持すべき複数のケーブルとの間及び第２の支持板７０２と支持すべき複数のケーブルとの間にそれぞれ配置される第１及び第２の絶縁支持物７０３及び７０４とを備えて、複数の低圧ケーブルを第１及び第２の絶縁支持物７０３及び７０４を介して第１及び第２の支持板７０１及び７０２の間に挟んだ状態で支持するように構成されて、第１及び第２の支持板７０１及び７０２の少なくとも一方が外箱１に対して固定される。
【００４８】
図示の例では、第１の支持板７０１の長手方向の一端が、該支持板７０１と直交するように配置された縦長長方形状の取付け板７０５に固定され、取付け板７０５が変圧器タンク４００の側壁４００ａに当接されてボルト７０６によりタンク４００の側壁４００ａに締結されることにより、第１の支持板７０１が、その板面を垂直方向に向け、かつその長手方向をケーブル引出しスペースＳ２の開口部１１０を閉じる扉１１１の板面と直角な方向に向けた状態で、変圧器４及び外箱１に対して固定されている。
【００４９】
第１の支持板７０１に対向配置される第２の支持板７０２は、取付け板７０５には固定されない短冊状の板からなっていて、該第２の支持板７０２には、その長手方向に所定の間隔を隔てて、該支持板７０２の幅方向の一端側に開口した２個の切り欠き７０２ａ，７０２ａが設けられている。また図示してないが、第１の支持板７０１には、切り欠き７０２ａ，７０２ａにそれぞれ対応するねじ孔が形成されている。
【００５０】
第１の絶縁支持物７０３及び第２の絶縁支持物７０４はゴム等の弾性を有する絶縁材料からなっていて、第１の絶縁支持物７０３及び第２の絶縁支持物７０４の対向面には、支持すべき４本のケーブルをそれぞれ嵌合させる断面が円弧状の凹部７０３ａ及び７０４ａが所定の間隔をあけて４個ずつ設けられている。第１の絶縁支持物７０３及び第２の絶縁支持物７０４は、それぞれの凹部７０３ａ、７０４ａが設けられた面の反対側の面を第１の支持板７０１及び第２の支持板７０２に接着することにより第１の支持板７０１及び第２の支持板７０２に固定されている。第２の絶縁支持物７０４には、第２の支持板７０２に設けられた切り欠き７０２ａ，７０２ａに整合する切り欠きが形成されている。
【００５１】
４個のケーブル支持具７ｎ及び７ｕないし７ｗは、変圧器４の中性点端子４０２ｎ及び低圧側端子４０２ｕないし４０２ｗの並設方向に並べた状態で配置されて、それぞれの取付け板７０５が横方向に整列した状態で、かつそれぞれの長手方向を上下方向に向けた状態で変圧器タンク４００の側壁４００ａに固定される。このようにしてケーブル支持具７ｎ、７ｕないし７ｗを変圧器タンク４００に固定した状態で、隣り合うケーブル支持具の第１及び第２の支持板７０１及び７０２が異なる高さの位置に配置されるようにするため（横方向に隣合わないようにするため）、取付け板７０５の下端寄りに第１の支持板７０１を固定したケーブル支持具と、取付け板７０５の上端寄りに第１の支持板７０１を固定したケーブル支持具との２種類のケーブル支持具が設けられている。
【００５２】
図示の例では、中性点端子４０２ｎに接続されたケーブル５ｎを支持するケーブル支持具７ｎ及びＶ相の低圧側端子４０２ｖに接続されたケーブル５ｖを支持するケーブル支持具７ｖとして、取付け板７０５の上端寄りに第１の支持板７０１を固定したものが用いられ、Ｕ相及びＷ相の低圧側端子４０２ｕ及び４０２ｗにそれぞれ接続されたケーブル５ｕ及び５ｗを支持するケーブル支持具７ｕ及び７ｗとして、取付け板７０５の下端寄りに第１の支持板７０１を固定したものが用いられている。
【００５３】
各ケーブル支持具７ｎ、７ｕないし７ｗに４本のケーブルを支持する際には、上下方向に伸びる４本のケーブルを第１の絶縁支持物７０３及び第２の絶縁支持物７０４の４個の凹部７０３ａ、７０４ａにそれぞれ嵌合させた状態にし、各第２の支持板７０２の切り欠き７０２ａと第１の絶縁支持物７０３とを貫通させたボルト７０８を第１の支持板７０１の対応するねじ孔にねじ込んで締め付ける。
【００５４】
上記第１の支持板７０１及び第２の支持板７０２を構成する非磁性金属材料としては、マルテンサイト系ステンレス鋼やアルミニウム等を用いることができる。
【００５５】
上記のように、ケーブル引出しスペースＳ２で変圧器４の各低圧側端子４０２ｎ、４０２ｕないし４０２ｗにつながる複数の低圧ケーブル５ｎ、５ｕないし５ｗを一括して支持するケーブル支持具７ｎ，７ｕないし７ｗを非磁性金属材料からなる支持板７０１，７０２と、該支持板７０１、７０２とケーブルとの間に介在させる第1、第２の絶縁支持物７０３，７０４とにより構成すると、各ケーブル支持具７ｎ，７ｕないし７ｗを通して外箱１の扉側１０１に磁束が流れるのを防ぐことができるため、扉１１１や、扉１１１とケーブル引出しスペースＳ２の開口部１１０周縁との間の隙間を通して外部に磁束が漏れるのを抑制することができる。
【００５６】
本実施形態においてはまた、図３ないし図４，図５に示したように、強磁性材料の帯板により閉ループをなすように構成された枠部２０と、コの字形強磁性部材２１とを備えた磁路構成部材２２が設けられ、この磁路構成部材２２の枠部２０が、ケーブル引出しスペースＳ２から地下溝２ａに引出されるすべての低圧ケーブル５ｎ，５ｕ〜５ｗを一括して取り囲むように配置されて、外箱１の底部１０５に固定されている。
【００５７】
図示の枠部２０は、強磁性材料からなる帯板をコの字形に折り曲げて構成した２つのコの字形の部材２０Ａ及び２０Ｂを矩形状に組み合わせて分離可能な状態で締結した構造を有している。図示の例では、コの字形部材２０Ａの互いに平行な２辺２０a1，２０a1とコの字形部材２０Ｂの互いに平行な２辺２０b1，２０b1とを重ね合せてボルト２５により締結することにより枠部２０を構成している。
【００５８】
またコの字形強磁性部材２１は、帯板状の第１の辺２１ａと該第１の辺２１ａの長手方向の両端から同じ側に該第１の辺２１ａと直角な方向に折れ曲がった帯板状の一対の第２の辺２１ｂ，２１ｂとからなり、第２の辺２１ｂ，２１ｂの下端には、取付け板部２１ｃ，２１ｃが設けられている。コの字形強磁性部材２１は、第１の辺２１ａを外箱１の開口部１１０が設けられた側壁部１０１の下端の内面に対向させ、一対の第２の辺２１ｂ，２１ｂを外箱１の開口部１１０が設けられた側壁部１０１の板面に対して直角な方向に向けた状態で配置されて、取付け板部２１ｃ，２１ｃを外箱１の底部１０５にボルト２７で締結することにより、外箱１の底部１０５に固定されている。
【００５９】
矩形状に形成された枠部２０は、コの字形強磁性部材２１の内側ですべての低圧ケーブル５ｕないし５ｗを一括して囲むように配置されて、その一辺がコの字形強磁性部材２１の第１の辺２１ａに重合され、コの字形強磁性部材２１の第１の辺２１ａと枠部２０の一辺とがボルト２６により締結されている。
【００６０】
上記のように強磁性部材２１を外箱１の底部１０５に配置した状態で、コの字形強磁性部材２１の第２の辺２１ｂ，２１ｂの先端が変圧器タンク４００の側壁４００ａに近接した状態になるように、該第２の辺２１ｂ，２１ｂの長さを設定しておくのが好ましい。
【００６１】
図１及び図２において、符号３０で示した部材は、ケーブル引出しスペースＳ２に配置された充電部を隠すためのシート状の遮蔽部材である。
【００６２】
上記のように、ケーブル引出しスペースＳ２から地下溝２ａに引出されるすべての低圧ケーブル５ｕないし５ｗを一括して取り囲む枠部２０を備えた磁路構成部材２２を設けて、該磁路構成部材２２を外箱１の底部１０５に固定しておくと、ケーブル引出しスペースＳ２を通して引き出される低圧ケーブル５ｕないし５ｗから磁界が発生した際に、ケーブル引出しスペースＳ２の開口部１１０の下端付近で磁路構成部材２２に多くの磁束を流して、該磁路構成部材２２の外側に磁束が漏れるのを抑制することができるため、ケーブル引出しスペースＳ２の開口部１１０を閉じる扉１１１と該開口部１１０の周縁部の下端との間の隙間から磁束が外部に漏れるのを抑制することができ、漏れ磁束量を更に低減することができる。
【００６３】
また上記のように、帯板状の第１の辺２１ａと該第１の辺の長手方向の両端から同じ側に該第１の辺２１ａと直角な方向に折れ曲がった帯板状の一対の第２の辺２１ｂ，２１ｂとを有するコの字形強磁性部材２１を磁路構成部材２２に付加して、コの字形強磁性部材２１の第１の辺２１ａを外箱１の開口部１１０が設けられた側壁部１０１の下端の内面に対向させておくと、ケーブル引出しスペースＳ２の開口部１１０側で、磁路構成部材２２の枠部２０とコの字形強磁性部材２１の第１の辺２１ａとにより二重に磁気シールドを図ることができるため、ケーブル引出しスペースＳ２の開口部１１０側への磁束の漏れを抑制する効果を高めることができる。
【００６４】
また上記の実施形態のように、磁路構成部材２２の枠部２０を２つのコの字形部材２０Ａ，２０Ｂにより構成した場合には、枠部２０を分解することができるため、枠部２０の着脱を容易にすることができ、低圧ケーブル５ｎ、５ｕないし５ｗの引出し作業を容易にすることができる。
【００６５】
上記の実施形態では、変圧器４の各低圧側端子４ｎ、４ｕないし４ｗに４本の低圧ケーブル５ｎ、５ｕないし５ｗが接続されるとしたが、各低圧側端子４ｎ、４ｕないし４ｗに接続される低圧ケーブル５ｎ、５ｕないし５ｗの本数は任意である。
【００６６】
上記の実施形態では、変圧器４から中性点端子４０２ｎが引出されているが、中性点端子４０２ｎが引出されない場合にも本発明を適用できる。
【００６７】
上記の実施形態では、磁路構成部材２２を枠部２０とコの字形強磁性部材２１とにより構成したが、コの字形強磁性部材２１は省略することもできる。
【００６８】
上記の実施形態では、ケーブル支持具７ｕないし７ｗを変圧器タンク４００に直接固定することによりケーブル支持具７ｕないし７ｗを外箱に対して固定しているが、変圧器タンク４００以外の外箱に対して固定された部分にケーブル支持具７ｕ〜７ｗを固定するようにしても良い。
【図面の簡単な説明】
【００６９】
【図１】（Ａ）は、本発明に係わる地上設置形変圧器装置の好ましい実施形態の一例を示した縦断面図、（Ｂ）は（Ａ）のＹ部の拡大断面図である。
【図２】（Ａ）は図１（Ａ）のII−II線断面図、（Ｂ）は（Ａ）のＺ部付近の拡大断面図である。
【図３】図２（Ａ）のIII−III線拡大断面図である。
【図４】本実施形態で用いる磁路構成部材を斜め上から見た斜視図である。
【図５】同磁路構成部材を裏返した状態を示した斜視図である。
【図６】（Ａ）は本実施形態で用いる４個のケーブル保持具の拡大側面図、（Ｂ）は（Ａ）の上面図である。
【符号の説明】
【００７０】
１  外箱
Ｓ１  変圧器収容スペース
Ｓ２  ケーブル引出しスペース
Ｓ３  ケーブル引込みスペース
１１１  扉
２  コンクリートベース
２ａ  地下溝
４  変圧器
４００  変圧器タンク
４０２ｕないし４０２ｗ  低圧側端子
５ｕないし５ｗ  低圧ケーブル
７ｕないし７ｗ  ケーブル支持具
７０１  第１の支持板
７０２  第２の支持板
７０３  第１の絶縁支持物
７０４  第２の絶縁支持物
２０  枠部
２１  コの字形強磁性部材
２２  磁路構成部材
【図１】
2010129595.tif 000003
【図２】
2010129595.tif 000004
【図３】
2010129595.tif 000005
【図４】
2010129595.tif 000006
【図５】
2010129595.tif 000007
【図６】
2010129595.tif 000008